(57)【要約】
【課題】  ひけの発生防止と部品点数の低減とを両立できる塗布具を提供する。
【解決手段】  液状物３１を収容する容器２に後部が嵌着され、液状物３１を吐き出すための流路３２が内側に形成され、流路３２内に連通する吐出口５１ａを有する塗布部５１が前端に形成された管状の塗布具１であって、塗布部５１が設けられた前端部１１ａと、前端部１１ａから後側に向けて突出して設けられ、容器２に嵌着される外管部１１ｂと、外管部１１ｂの内側で前端部１１ａから後側に向けて突出して設けられ、流路３２の前側である前側流路３２ａが内側に形成された内管部１１ｃとを一体に成形してなる第一の管状部材１１と、第一の管状部材１１及び容器２のうち少なくともいずれか一方に嵌着され、前側流路３２ａに後続する流路３２の後側である後側流路３２ｂが内側に形成された第二の管状部材１２とからなる。
【選択図】  図１
0003101340.tif 000002
【実用新案登録請求の範囲】
【請求項１】
液状物を収容する容器に後部が嵌着され、この液状物を吐き出すための流路が内側に形成され、この流路内に連通する吐出口を有する塗布部が前端に形成された管状の塗布具であって、
前記塗布部が設けられた前端部と、この前端部から後側に向けて突出して設けられ、容器に嵌着される外管部と、この外管部の内側で該前端部から後側に向けて突出して設けられ、前記流路の前側である前側流路が内側に形成された内管部とを一体に成形してなる第一の管状部材と、
前記第一の管状部材及び容器のうち少なくともいずれか一方に嵌着され、前記前側流路に後続する前記流路の後側である後側流路が内側に形成された第二の管状部材とからなることを特徴とする塗布具。
【請求項２】
前記塗布部が、前記前端部の前面において曲面として形成されていることを特徴とする請求項１に記載の塗布具。
【請求項３】
前記内管部が、前記第二の管状部材によって支持されていることを特徴とする請求項１又は２に記載の塗布具。
【考案の詳細な説明】
【技術分野】
【０００１】
本考案は、例えば内蔵される化粧品としての液状物を使用者が適宜押し出すことを可能とする容器に取り付けられる塗布具に関する。
【背景技術】
【０００２】
従来の一の塗布具としては、例えば液状物を収容する容器に後部が嵌着され、この液状物を吐き出すための流路が内側に形成された本体と、この本体の前端に設けられ、流路内に連通する吐出口が接する塗布部材とを備えた管状の塗布具が開示されている（例えば、特許文献１参照）。
また、従来の他の塗布具としては、例えば後部が嵌着される容器内に収容される液状物を吐き出すための流路が内側に形成された本体と、この本体の前端に設けられ、流路内に連通する吐出口が含まれる塗布部材たるブラシと、ブラシを本体に嵌着するためのブラシホルダーとを備えた管状の塗布具であって、流路が、本体に嵌着されたパイプホルダーに保持されたパイプによって形成されているものが開示されている（例えば、特許文献２参照）。
【特許文献１】特公昭５７−１４１６９号公報
【特許文献２】特開平９−１７３１３９号公報
【考案の開示】
【考案が解決しようとする課題】
【０００３】
しかしながら、従来の一の塗布具では、本体を成形することによって本体の内側に流路を形成させる必要があることから、成形品としての本体の肉厚がどうしても厚くなり、凝固に時間がかかったり、本体の表面にひけを生じたりして、製品の品質を損なう結果を招いてしまう。
ここで、従来の他の塗布具によれば、本体を成形することによって本体の内側に流路を形成することなく、本体に組み込んだパイプによって流路を形成することが可能となるため、成形品としての本体の肉厚を容易に薄くでき、これにより、ひけの発生を防止することが可能となる。
【０００４】
しかしながら、従来の他の塗布具では、本体の内側に流路を確保するために、別個独立の部品又は部材としてのパイプを組み込む構造となっているため、本体を成形する場合に比して、部品点数が増加することになり、ひいては製造コストの増大を招いてしまう。
そこで、本考案の課題は、製品の品質向上効果及び製造コストの低減効果が得られるように、ひけの発生防止と部品点数の低減とを両立できる塗布具を提供することにある。
【課題を解決するための手段】
【０００５】
上記課題を解決するため、本考案に係る塗布具は、液状物を収容する容器に後部が嵌着され、この液状物を吐き出すための流路が内側に形成され、この流路内に連通する吐出口を有する塗布部が前端に形成された管状の塗布具であって、塗布部が設けられた前端部と、この前端部から後側に向けて突出して設けられ、容器に嵌着される外管部と、この外管部の内側で前端部から後側に向けて突出して設けられ、流路の前側である前側流路が内側に形成された内管部とを一体に成形してなる第一の管状部材と、第一の管状部材及び容器のうち少なくともいずれか一方に嵌着され、前側流路に後続する流路の後側である後側流路が内側に形成された第二の管状部材とからなることを特徴としている。
【０００６】
このような塗布具によれば、外管部と吐出口に連通する流路をもつ内管部とを一体に成形してなる第一の管状部材と、内管部の流路に後続する流路をもつ第二の管状部材とからなるので、成形品の肉厚を容易に薄くすることが可能となり、しかも、別個独立にパイプを組み込むことを要しないので、ひけの発生防止と部品点数の低減とを両立させることが可能となる。
したがって、これによれば、製品の品質向上効果及び製造コストの低減効果が得られることが可能となる。
【０００７】
このような技術的手段において、従前の毛やブラシとは異なる優れた使用感を実現できるようにして、技術の豊富化に具体的に資するという観点からすれば、塗布部が、前端部の前面において曲面として形成されていることが好ましい。
また、脆弱な構造となりやすい構成部分を有効に補強することとして、製品の品質向上効果を担保しようとする観点からすれば、内管部が、第二の管状部材によって支持されていることが好ましい。
【考案の効果】
【０００８】
本考案に係る塗布具によれば、ひけの発生防止と部品点数の低減とを両立でき、製品の品質向上効果及び製造コストの低減効果が得られることとなる。
【考案を実施するための最良の形態】
【０００９】
以下、添付図面に基づいて本考案の実施の形態を詳細に説明する。
【００１０】
なお、ここでは、化粧品としてのファンデーション、チークカラーや美容液等の液状化粧料を塗布する目的に用いる場合について説明するが、これに限られるものではなく、食品、筆記用具のインク、液状医薬品その他の物品として液状物を塗布する目的に用いる場合でも、以下の説明が妥当する。
【００１１】
図１は本考案の一実施の形態に係る塗布具の全体構成を示す縦断面図、図２は同塗布具の全体構成を示す斜視図、図３は同塗布具の全体構成を示す斜視図、図４は同塗布具の部分構成を示す斜視図、図５は同塗布具の部分構成を示す横断面図、図６は同塗布具の部分構成を示す斜視図である。
【００１２】
なお、これらの図において、説明の便宜上、塗布具を覆うように押出機構付き容器に取り付けられるキャップについての図示は省略する。
【００１３】
本実施の形態において、塗布具１は、図１及び図２に示すように、使用者が内蔵される液状物たる液状化粧料３１を適宜押し出すことを可能とする機構を有する押出機構付き容器２に取り付けられたものとして構成されている。
【００１４】
ここで、押出機構付き容器２は、図１に示すように、移動体繰出装置２１と、ピストン２２とを備えたものとして構成されている。
【００１５】
移動体繰出装置２１は、同図に示すように、外周に雄螺子が形成される筒状の移動体２１ａと、移動体２１ａの雄螺子と螺合する雌螺子が内周の途中部分に形成される筒状の本体２１ｂと、本体２１ｂの後端部に対して回転可能に連結され、後端に有する底から前側に向けて突出して設けられた軸体１１２であって雌螺子に螺合した移動体２１ａが回転不能かつ長さ方向に摺動自在に嵌め込まれるものを有する筒状の操作体２１ｃと、移動体２１ａの前方向又は後方向への移動を規制するためのラチェット２１ｄとを備えており、本体２１ｂと操作体２１ｃとを相対回転させて移動体２１ａを順次繰り出すことが可能となっている。
【００１６】
なお、ここにいう雄螺子・雌螺子とは、これらと同様な働きをする螺子状の突起・溝を含む概念である。
【００１７】
具体的には、本体２１ｂは、図１に示すように、後述する操作筒１１１によって回転可能に連結され、液状化粧料３１が収容された収容部１０１ａを有する本体筒１０１と、雌螺子が設けられる筒状体１０２とからなっている。
【００１８】
ここで、収容部１０１ａは、同図に示すように、後述する第二の管状部材１２と、第二の管状部材１２に対して水密・気密に連結されることで第一の管状部材１１の外管部１１ｂを保持する本体筒１０１と、後述するピストン２２とによって形成されている。
【００１９】
また、操作体２１ｃは、同図に示すように、本体筒１０１の後端部に対して回転可能に連結される操作筒１１１と、後側から移動体２１ａ内に回転不能かつ長さ方向に摺動自在に挿入されている軸体１１２とからなっている。
【００２０】
さらに、ラチェット２１ｄは、同図に示すように、操作筒１１１内に回転不能に組み込まれるラチェット筒１２１と、筒状体１０２に設けられたラチェット歯１２２ａとラチェット筒１２１に設けられたラチェット歯１２２ｂとからなる一組のラチェット歯１２２と、ラチェット筒１２１と操作筒１１１内部との間に挟み付けられ、ラチェット筒１２１を筒状体１０２に付勢するためのラチェットバネ１２３とを備えている。
【００２１】
一方、ピストン２２は、同図に示すように、円板形状を成しており、移動体２１ａの先端部に結合され、本体筒１０１内に水密に挿嵌されることで長さ方向に摺動することを可能とされている。
【００２２】
つまり、このような押出機構付き容器２にあっては、使用者が本体２１ｂと操作体２１ｃとを相対回転させることにより、移動体２１ａが順次繰り出され、移動体２１ａの先端部に結合されたピストン２２も押し出されることになっており、これにより収容部１０１ａ内から塗布具１内に向けて液状化粧料３１を押し出すことが可能となっている。
【００２３】
本実施の形態における塗布具１は、図１及び図２に示すように、このような押出機構付き容器２の本体筒１０１に後部が嵌着されたものとして構成されており、略管状に形成されている。
【００２４】
具体的には、この塗布具１は、図３に示すように、押出機構付き容器２の収容部１０１ａ内に収容される液状化粧料３１を吐き出すための流路３２が内側に形成されており、第一の管状部材１１と、第二の管状部材１２とからなるものとして構成されている。
【００２５】
以下、これらの各構成要素についてさらに詳細に説明する。
【００２６】
（１）第一の管状部材１１
第一の管状部材１１は、図４に示すように、前端部１１ａと、外管部１１ｂと、内管部１１ｃとを一体に成形してなるものとして構成されており、押出機構付き容器２の収容部１０１ａ内に収容される液状化粧料３１を吐き出すための流路３２が内側に形成されている。
【００２７】
具体的には、この前端部１１ａは、図２及び図３に示すように、液状化粧料３１を化粧すべき箇所に塗布するための塗布部５１が設けられたものとして構成されている。
【００２８】
そして、塗布部５１は、図１〜図４に示すように、流路３２内に連通する吐出口５１ａを有している。
【００２９】
ここで、吐出口５１ａとしては、これに限られるものではなく、その形態、例えば単数や複数の別や寸法の別を問わず、使用者のニーズや液状化粧料３１の粘度などに応じて適宜選定して差し支えない。すなわち、吐出口５１ａとして、例えば複数の孔の群からなり、したがって、複数の流路３２に連通するものなども用いることができる。
【００３０】
ここで、この塗布部５１は、図２及び図３に示すように、前端部１１ａの前面において曲面として形成されている。
【００３１】
これにより、従前の毛やブラシとは異なる優れた使用感を実現することが可能となっており、その結果、技術の豊富化に具体的に資することになっている。
【００３２】
また、外管部１１ｂは、図３及び図４に示すように、前端部１１ａから後側に向けて突出して設けられている。そして、この外管部１１ｂは、図１に示すように、押出機構付き容器２に嵌着されたものとして構成されている。
【００３３】
さらに、内管部１１ｃは、図３及び図４に示すように、外管部１１ｂの内側において前端部１１ａから後側に向けて突出して設けられている。そして、この内管部１１ｃの内側には、図３に示すように、流路３２の前側である前側流路３２ａが形成されたものとして構成されている。
【００３４】
ここで、内管部１１ｃとしては、これに限られるものではなく、その形態、例えば単数や複数の別や寸法の別を問わず、使用者のニーズや塗布部５１の形態などに応じて適宜選定して差し支えない。すなわち、内管部１１ｃとして、例えば複数の管の束からなり、したがって、複数の流路３２を形成するものなども用いることができる。
【００３５】
つまり、このような外管部１１ｂ及び内管部１１ｃによれば、図３〜図５に示すように、外管部１１ｂ及び内管部１１ｃの間に空洞領域１０が得られることが可能となっており、これにより、成形品の肉厚を容易に薄くすることができるようになっており、その結果、ひけの発生を防止することが可能となっている。
【００３６】
ここで、内管部１１ｃは、図１及び図３に示すように、後述する第二の管状部材１２によって支持されている。
【００３７】
これにより、径が小さく脆弱な構造となりやすい構成部分たる内管部１１ｃが有効に補強されることが可能となっており、その結果、製品の品質向上効果が担保されることになっている。
【００３８】
（２）第二の管状部材１２
第二の管状部材１２は、図１に示すように、第一の管状部材１１の外管部１１ｂ及び押出機構付き容器２の本体筒１０１の両方にそれぞれ嵌着されたものとして構成されている。
また、この第二の管状部材１２は、図１及び図３に示すように、第一の管状部材１１の内管部１１ｃを支持する役割を果たす。
【００３９】
ただし、これに限られるものではなく、第一の管状部材１１の外管部１１ｂ及び押出機構付き容器２の本体筒１０１のうちいずれか一方に嵌着されていればよい。
【００４０】
第二の管状部材１２は、図３及び図６に示すように、押出機構付き容器２の収容部１０１ａ内に収容される液状化粧料３１を吐き出すための流路３２が内側に形成されるものとして構成されている。
【００４１】
ここで、第二の管状部材１２としては、これに限られるものではなく、その形態、例えば単数や複数の別や寸法の別を問わず、使用者のニーズや塗布部５１の形態などに応じて適宜選定して差し支えない。すなわち、第二の管状部材１２として、例えば複数の流路３２を形成するものなども用いることができる。
【００４２】
具体的には、第二の管状部材１２の内側には、図１及び図３に示すように、前側流路３２ａに後続する流路３２の後側である後側流路３２ｂが形成されている。
【００４３】
上記したように、本実施の形態に係る塗布具１にあっては、外管部１１ｂと吐出口５１ａに連通する流路３２を有する内管部１１ｃとを一体に成形してなる第一の管状部材１１と、内管部１１ｃの流路３２に後続する流路３２を有する第二の管状部材１２とからなっている。
【００４４】
したがって、このような塗布具１によれば、外管部１１ｂ及び内管部１１ｃの間に空洞領域１０が得られ、これにより、成形品の肉厚を容易に薄くすることが可能となっており、しかも、別個独立にパイプを組み込むことを要しないことになっているので、ひけの発生防止と部品点数の低減とを両立させることが可能となっている。
【００４５】
したがって、これによれば、製品の品質向上効果及び製造コストの低減効果が得られることになっている。
【図面の簡単な説明】
【００４６】
【図１】本考案の一実施の形態に係る塗布具の全体構成を示す縦断面図である。
【図２】本考案の一実施の形態に係る塗布具の全体構成を示す斜視図である。
【図３】本考案の一実施の形態に係る塗布具の全体構成を示す斜視図である。
【図４】本考案の一実施の形態に係る塗布具の部分構成を示す斜視図である。
【図５】本考案の一実施の形態に係る塗布具の部分構成を示す横断面図である。
【図６】本考案の一実施の形態に係る塗布具の部分構成を示す斜視図である。
【符号の説明】
【００４７】
１ 塗布具
２ 押出機構付き容器
１０ 空洞領域
１１ 第一の管状部材
１１ａ 前端部
１１ｂ 外管部
１１ｃ 内管部
１２ 第二の管状部材
２１ 移動体繰出装置
２１ａ 移動体
２１ｂ 本体
２１ｃ 操作体
２１ｄ ラチェット
２２ ピストン
３１ 液状化粧料
３２ 流路
３２ａ 前側流路
３２ｂ 後側流路
５１ 塗布部
５１ａ 吐出口
１０１ 本体筒
１０１ａ 収容部
１０２ 筒状体
１１１ 操作筒
１１２ 軸体
１２１ ラチェット筒
１２２ 一組のラチェット歯
１２２ａ ラチェット歯
１２２ｂ ラチェット歯
１２３ ラチェットバネ
【図１】
0003101340.tif 000003
【図２】
0003101340.tif 000004
【図３】
0003101340.tif 000005
【図４】
0003101340.tif 000006
【図５】
0003101340.tif 000007
【図６】
0003101340.tif 000008